(57)【要約】【課題】  用紙上に発生しうる黒筋等のノイズの発生の抑制をより確実に且つより低コストに達成する。【解決手段】  画像データに基づいて用紙上に画像形成を行う画像形成装置であって、当該画像形成装置内における所定の固定部材との間でそれらの相対的位置関係を定め得る複数の読み取り位置において原稿の内容を読み取る画像読取手段と、前記複数の読み取り位置のそれぞれにおける前記画像読取手段による前記原稿の内容の読み取りの結果を前記用紙上に記録するレポート手段と、前記読み取りの結果に基づいて、前記複数の読み取り位置のいずれか一つ以上における前記原稿の内容の読み取りの禁止を設定する設定手段と、前記設定手段により読み取りの禁止を設定された位置を記憶する記憶手段とを備えている。【選択図】      図３
2005150944.tif 000002
【特許請求の範囲】
【請求項１】
画像データに基づいて用紙上に画像形成を行う画像形成装置であって、
当該画像形成装置内における所定の固定部材との間でそれらの相対的位置関係を定め得る複数の読み取り位置において原稿の内容を読み取る画像読取手段と、
前記複数の読み取り位置のそれぞれにおける前記画像読取手段による前記原稿の内容の読み取り結果を前記用紙上に記録するレポート手段と、
前記読み取り結果に基づいて、前記複数の読み取り位置のいずれか一つ以上における前記原稿の内容の読み取りの禁止を設定する設定手段と、
前記設定手段により読み取りの禁止を設定された位置を記憶する記憶手段と
を備えたことを特徴とする画像形成装置。
【請求項２】
当該画像形成装置に前記画像形成の実行を指示する操作手段を更に備えてなり、
前記禁止の設定は、前記操作手段による指示に従って行われることを特徴とする請求項１に記載の画像形成装置。
【請求項３】
前記複数の読み取り位置は第１，第２，…，第ｎの読み取り位置からなるとともに、前記禁止が設定された読み取り位置は、第ｍ１，第ｍ２，…，第ｍｐ（但し、ｍ１，ｍ２，…，ｍｐのそれぞれは、１，２，…，ｎのうちのいずれか一つに一致し、且つｐ≦ｎ）の読み取り位置からなり、
前記画像読取手段は、前記第ｍ１，第ｍ２，…，第ｍｐを除く、前記第１，第２，…，第ｎの読み取り位置を変化させて、前記原稿の内容を読み取ることを特徴とする請求項１又は２に記載の画像形成装置。
【請求項４】
前記ｍｐが所定の閾値を超える場合には、ユーザに適切な措置を促すメッセージを表示する表示手段を更に備えていることを特徴とする請求項３に記載の画像形成装置。
【発明の詳細な説明】
【技術分野】
【０００１】
本発明は、例えばコピー機、ファクシミリ機及びプリンタ、或いはこれらの機能を併せ持ついわゆる複合機等の画像形成装置の技術分野に属する。
【背景技術】
【０００２】
従来、シートスルー型の画像読取部をもつ画像形成装置が知られている。この画像形成装置では、原稿を、画像形成装置に設けられているプラテン上に連続して供給することが可能であり、またその原稿の内容を連続して画像形成装置内に読み取ることが可能である。
【０００３】
しかしながら、このような画像読取部においては、例えば原稿読み取り位置にごみ等が付着していると、このごみがあたかも原稿の内容の一部として読み込まれるおそれがある。つまり、本来は原稿の内容を構成すべきでないものが画像データを構成するおそれが生じ、これに基づいて用紙等の上に実際に印刷ないしは画像形成を行うと、前記ごみの影響が当該用紙等の上に反映されるおそれが生じることになる。ここに「ごみの影響」とは、より具体的には、副走査方向に伸びる黒筋となって見えるのが典型的である。このようになってしまうと、画像形成後の用紙等の見栄えを悪くするし、悪い場合には画像形成の結果得られた文字又は絵画の一部が前記黒筋により判読できなくなるようなおそれも出てくることになる。
【０００４】
そこで、従来においても、かかる問題点を解消するため、次のような対策が考え出されている。まず、前記のごみの影響が出た、あるいは出るおそれのある場合には、原稿の読み取り位置を、例えば順繰りに変更していくことが考えられる。これによれば、原稿の読み取り位置が３箇所あり、かつ、ごみの付着した読み取り位置がそのうちの１箇所であるとすれば、少なくとも３回に１回の割合でごみを読み込むことがなくなる。よって、ごみの影響を受ける機会が減少することにより、前記の黒筋の発生を抑制することができることになる。あるいは、前記問題点を解消するため、特許文献１に開示されているような技術が提案されている。この特許文献１では、ごみの影響を受けた部分、即ち「ごみ付着領域」の画素値を、該ごみ付着領域から所定画素だけ離れた画素値を用いて補正する技術が開示されている。この文献では、この補正によってごみ付着領域における黒筋の発生は抑制されるとする。
【特許文献１】特開２００２−１９９２２３号公報
【発明の開示】
【発明が解決しようとする課題】
【０００５】
しかしながら、従来における技術には次のような問題点がある。すなわち、前記のうち、最初に述べた方法（読み取り位置変更方法）では、ごみの付着のない読み取り位置で原稿を読み取る場合には、たしかに黒筋の発生を抑制することができるものの、当該ごみの付着した読み取り位置で原稿を読み取る限り、黒筋はほとんど必然的に発生することになる。この点、この方法によれば、他の読み取り位置を巡回している間にごみが脱落することによって、次にごみが「付着していた」読み取り位置で画像読み取りを実施したときには、ごみの影響を受けなくてすむ場合はありうる。しかしながら、強固に付着したごみや画像形成装置内部に原因のあるごみは、簡単には脱落しない、あるいはそもそも脱落が考えられない場合もありうる。したがって、この方法では問題の根本的解決には至っていないということができる。
【０００６】
また、前記のうちもう一つの方法（特許文献１）では、ごみ付着領域の画素値をいわば擬似的に“正常”と考えられる画素値に置換することによって、黒筋の発生に対処するものであるが、このような方法では、ごみ付着領域の検知処理に続き、該ごみ付着領域の補正に使用するための画素の適切な選別（該ごみ付着領域周囲の画素の適切な選別）及び具体的な補正値の算出などというように行うべき処理が複雑であり、また検知精度等にも問題があるため、黒筋の発生の抑制を低コストに達成できるものとはなっていない。
【０００７】
本発明は、上記問題点に鑑みてなされたものであり、用紙上に発生しうる黒筋等のノイズの発生の抑制をより確実に且つより低コストに達成しえる画像形成装置を提供することを課題とする。
【課題を解決するための手段】
【０００８】
〔１〕
本発明の画像形成装置は、上記課題を解決するため、画像データに基づいて用紙上に画像形成を行う画像形成装置であって、当該画像形成装置内における所定の固定部材との間でそれらの相対的位置関係を定め得る複数の読み取り位置において原稿の内容を読み取る画像読取手段と、前記複数の読み取り位置のそれぞれにおける前記画像読取手段による前記原稿の内容の読み取りの結果を前記用紙上に記録するレポート手段と、前記読み取りの結果に基づいて、前記複数の読み取り位置のいずれか一つ以上における前記原稿の内容の読み取りの禁止を設定する設定手段とを備えている。
【０００９】
本発明の画像形成装置によれば、まず、画像データに基づいて用紙上に画像形成を行うことができる。ここで「画像データ」とは「画像情報」に基づいて作成されるが、この「画像情報」とは、例えば前記画像読取手段から読み取られた原稿面上の画像、或いは当該画像形成装置に接続されたパソコン等のユーザ端末から送信された画像等を構成するために必要な情報をいう。なお、「画像」とは、文書、図画などのあらゆる象形を含む。
【００１０】
そして、本発明では特に、前記の画像読取手段は、複数の読み取り位置において原稿の内容を読み取ることが可能となっている。ここで「読み取り位置」とは、例えば、本発明に係る画像読取手段が、原稿送給部、該原稿送給部から原稿が送り込まれるプラテン部及び該プラテン部を挟んで原稿の面に対向するように配置されたスキャナ部（該スキャナ部は更に、投光部、受光部、反射鏡及びこれらを移動させるための駆動部などから構成され得る。）からなるなどという場合には、このうちのスキャナ部が固定されたプラテン部を基準として位置すべき場所と定義することができる。本発明では、かかる「読み取り位置」が複数存在するから、前述の例でいえば、前記のスキャナ部が、プラテン部を基準として複数の場所に位置付けられ、且つ、それら複数の場所において原稿の内容の読み取りが行われ得るということになる。
【００１１】
加えて、本発明では更に、前記の複数の読み取り位置のそれぞれにおける原稿の内容の読み取り結果を用紙上に記録するレポート手段が備えられている。これによると、例えば、読み取り位置が１，２，…，ｎ個あるとして、そのうちのｍ番目（ｍ＝１，２，…ｏｒ  ｎ）の読み取り位置にごみが付着しているなどという場合には、用紙上に、１，２，…，ｍ−１，ｍ＋１，…，ｎ番目については当該ごみの影響はでない旨の表現がなされ、ｍ番目については当該ごみの影響が出る旨の表現がなされる、などということが可能になる。ユーザはこの用紙を確認することで、複数の読み取り位置のうちごみの影響が出る読み取り位置がどれであるかを確認することができる。
【００１２】
そうすると、ユーザとしては、前記の複数の読み取り位置のうち、ごみの影響が出る読み取り位置はできれば使用したくないということになるのが当然の理であるが、本発明では、この要求に応え得るものとして、前記読み取りの結果に基づいて、前記複数の読み取り位置のいずれか一つ以上における前記原稿の内容の読み取りの禁止を設定する設定手段が備えられているのである。したがって、この設定手段によって、問題のある読み取り位置の使用が禁止され得ることになるから、用紙上にごみの影響が出ることをほぼ確実に防止することができることになる。
【００１３】
なお、本発明にいう「設定手段」が、読み取り位置のいずれか一つ以上を使用禁止にする場合において、その使用禁止の設定はユーザの手動によって行われるようになっていてもよいし、自動的に行われるようになっていてもよい。前者の場合は特に、設定手段は、前述のような使用禁止の設定を、「読み取りの結果」に基づいて行い得ることはもとより、前記レポート手段による記録がなされた「用紙」上の記載に基づいて行うこともできる。つまり、この場合、典型的には、用紙の記載をユーザが視認することによって問題のある読み取り位置を確認した後、その確認結果に基づいて手動で使用禁止を設定する、などということが可能になる。
【発明の効果】
【００１４】
以上説明したように、本発明によれば、複数の読み取り位置の中からごみの影響の出る読み取り位置を効果的に使用禁止に設定し得るようになっていることから、用紙上における黒筋等のノイズの防止をより確実に且つより低コストに達成しえる。また、使用禁止の設定をユーザの手動によらしむ場合には、該設定が自動的に行われるなどという場合に比べて、当該ユーザにより大きな安心感を与えることもできるし、本発明の目的をより低コストで実現することもできる（ただし、上述したことからも明らかなように、本発明は該設定を自動的に行う場合を積極的に排除する意図を有するわけではない。）。
【００１５】
本発明のこのような作用及び効果その他の利得は次に説明する実施の形態から明らかにされる。
【発明を実施するための最良の形態】
【００１６】
以下では、本発明の実施の形態について図１、図２及び図７を参照しつつ説明する。ここに図１は、本実施形態に係る画像形成装置の構成図である。また図２は、図１に示す画像読取部の詳細を示す構成図である。また図７は図２に示すプラテンと反射鏡との位置関係を示す図である。
【００１７】
図１において、画像形成装置は、制御部１、プリンタ部２、記憶装置３、ファックスインターフェイス（以下、「FAX  I/F」という。）４、ネットワークＩ／Ｆ５、画像読取部６及び操作部７から構成されている。
【００１８】
このうちプリンタ部２は、例えばパソコンから送られ、或いは画像読取部６により読み取られ、更にはＦＡＸ  Ｉ／Ｆ４により受信されるなどした画像情報に基づいて、これに基づき設定された印刷ジョブを処理する。なお、印刷ジョブの処理とは、主として、プリンタ部２に予め蓄積された用紙等に、前記画像情報に基づく文字・図画等を印刷することをいう。記憶装置３は、実行予定、或いは実行中の印刷ジョブや、エラーの発生した印刷ジョブ等を記憶する。ＦＡＸ  Ｉ／Ｆ４は、図示しないネットワーク外の機器と電話回線を介して接続され、ＦＡＸ機能により画像情報の送受信を行う。ネットワークＩ／Ｆ５は、ネットワークに接続され、ネットワーク内でデータの送受信を行う。例えば、前記パソコンから送られてくる画像情報は、このネットワークＩ／Ｆ５を介して画像形成装置内に取り込まれる。画像読取部６は、図示しないプラテン、光源部、ＣＣＤカメラ等を備え、前記プラテン上に載置された原稿面をスキャンして画像情報を読み取る。この画像読取部６については後に詳しく述べる。操作部７は、ユーザが当該画像形成装置に対して各種の指令を送信するためのユーザインターフェイスである。
【００１９】
そして、制御部１は、前記の各要素を通じて画像形成装置全体を制御する。また、制御部１は、制御指令を行うＣＰＵ、制御プログラム等が格納されたＲＯＭ、一時的な記憶場所のＲＡＭ、不揮発データを格納するＮＶＲＡＭから構成されている。
【００２０】
前記の各種の構成要素のうち特に、画像読取部６は、図２に示すような構成を備えている。すなわち、図２において、画像読取部６は、大きく原稿送給部６１、プラテン部６２及びスキャナ部６３からなる。このうち原稿送給部６１は、一枚以上の原稿Ｓを載置するための原稿載置台６１ａ、この原稿載置台６１からプラテン部６２に向けて原稿Ｓを送給するための複数のローラ６１ｂ〜６１ｈ等からなる。プラテン部６２は透明な板状部材からなる。前記の原稿送給部６１から送り出されてくる原稿Ｓは、このプラテン部６２上に一時的に滞留させられるか、あるいは連続的に送給されていくことになる。スキャナ部６３は、投光部６３１、反射鏡６３２ａ、６３２ｂ、レンズ６３３及び受光部６３４からなる。投光部６３１は、プラテン部６２上に送り込まれた原稿Ｓの面に対して光を投射する。反射鏡６３２ａ、６３２ｂは、原稿Ｓの面で反射した光を受けて、これを受光部６３４に向けて進行させる。受光部６３４は、レンズ６３３を介して反射鏡６３２ａ、６３２ｂで反射した光を受ける。この場合、受光部６３４の受ける光の強度は、原稿Ｓの面における濃淡の影響を受けたものとなっているから、当該強度の分布等を適当に分析することにより、原稿Ｓの内容を読み取ることが可能となる。
【００２１】
そして、このような画像読取部６のうち前記のうちスキャナ部６３は、図７の両矢印に示すように固定されたプラテン部６２を基準として移動可能とされている。加えて、当該スキャナ部６３については、原稿Ｓの内容を読み取るべき位置が定められている。図７においては、この原稿読取位置が、符号Ａ、Ｂ、Ｃ、Ｄ、Ｅ及びＦの六箇所定められている。ちなみに、これら原稿読取位置Ａ乃至Ｆは、本発明に言う「複数の読み取り位置」の一例であることは言うまでもない。
【００２２】
かかる構成となる画像形成装置は、例えば図３、図４及び図６に示すように運用され、その結果以下に記す作用効果を得ることができる。ここに図３は黒筋発生抑制のための処理の流れを示すフローチャートである。また、図４は黒筋チェックレポートの一例を示す説明図である。また、図６は図３のフローチャートに示す処理を行った後、画像形成を行う処理の流れを示すフローチャートである。
【００２３】
まず、図３の説明に入る前提として、本実施形態に係る画像形成装置において、ユーザは、操作部７において黒筋軽減モードを設定することが可能である。この黒筋軽減モードとは、原稿Ｓの内容の読み取りを、前述した原稿読取位置Ａ乃至Ｆを順繰りに変更（即ち、Ａ→Ｂ→…→Ｆ→Ａ→Ｂ→…と変更）していきながら実行する原稿読み取り方法の一つである。これにより、例えば原稿読取位置Ａでは黒筋が発生するが、原稿読取位置Ｂ乃至Ｆでは黒筋は発生しないという場合においては、六回に一回の割合で、用紙上に黒筋を現させない印刷を実行することができる。
【００２４】
図３においてはまず、この黒筋軽減モードが設定されたかどうかが確認される（ステップＳ１０）。ここで、設定が確認されなければ黒筋発生抑制のための処理のすべてを終了する（ステップＳ１０；ＮＯからステップＥＮＤへ）。
【００２５】
一方、前記のステップＳ１０において、黒筋軽減モードが設定されていると判断されるときには、続いて、黒筋チェックレポートが出力される（ステップＳ１２）。ここで黒筋チェックレポートとは、図１のプリンタ部２における所定の印刷処理を受けた用紙であって、該用紙上に前述の原稿読取位置Ａ乃至Ｆのそれぞれにおける原稿Ｓの内容の読み取り結果を記録したものである。ここにいう「原稿読取位置Ａ乃至Ｆのそれぞれにおける原稿Ｓの内容の読み取り結果」とは、本実施形態において具体的に次のような意義を有している。
【００２６】
すなわち、前述の図２における原稿読取部６では、原稿読取位置Ａ乃至Ｆのどれを用いて原稿Ｓの内容を読み取るかの相違に応じて、用紙上に黒筋を発生させたり、発生させなかったりする場合がある。例えば、図２に併せて示すように、原稿読取位置Ｃにおいて、紙粉、インク、塵、埃等のごみが存在している場合には、このごみも原稿Ｓの内容の一部として読み込まれてしまうことになる結果、用紙上に黒筋を発生させるおそれがある。このような場合にかんがみ、本実施形態にいう「原稿Ｓの内容の読み取りの結果」とは、前記の黒筋が発生するかどうかということに対応している。つまり、本実施形態において、前記の黒筋チェックレポートには、ある原稿読取位置における読み取りを実施すると黒筋が発生する、あるいは発生しない、という情報が記録されることになるのである。
【００２７】
かかる黒筋チェックレポートとは、より具体的には、図４に示すようなものとなる。この図４においては、各原稿読取位置Ａ乃至Ｆにおける読み取り結果（繰り返しになるが、黒筋が発生するか、あるいは発生しないか）のそれぞれが表現されるように当該用紙Ｐ上の全面がその副走査方向に沿って一定範囲ごとに区分けされている。この図では、原稿読取位置Ｃにおいて黒筋ＢＬが発生することが示されている。
【００２８】
このような黒筋チェックレポートの出力がなされると、続いて、ユーザは、当該レポートに基づいて、操作部７を介し黒筋が発生した原稿読取位置の入力を行う（ステップＳ１４）。例えば、図４の例では“Ｃ”と入力する、などというようである。次に、入力された原稿読取位置（本実施形態では“Ｃ”）が記憶装置３に記憶される（ステップＳ１５）。このように入力された原稿読取位置Ｃでは、以後、原稿Ｓの内容の読み取りが禁止されることになる。
【００２９】
画像形成の際は図６に示すように、前記で入力され、記憶された原稿読取位置が記憶装置３から読み出され、読み出された原稿読取位置については原稿読み取りを禁止して、原稿Ｓの内容の読み取り及びそれに基づく画像形成が実行されることになる（ステップＳ２０）。例えば、前述のように、原稿読取位置Ｃにおける読み取りを実施すると黒筋が発生するという場合（図４参照）であって、当該原稿読取位置Ｃの使用が禁止された場合においては、前述した原稿読取位置Ａ乃至Ｆの順繰りの変更において、当該原稿読取位置Ｃは飛ばされることになる。すなわち、原稿Ｓの内容の読み取りは、符号だけで表現すれば、Ａ→Ｂ→Ｄ→Ｅ→Ｆ→Ａ→Ｂ→Ｄ→…という各原稿読取位置において行われることになるのである。
【００３０】
以上説明したように、本実施形態によれば、黒筋が発生する原稿読取位置が好適に回避されることにより、用紙上に黒筋を現させるおそれを極めて低減することができ、もって高品質な画像形成を行うことができる。また、本実施形態においては特に、黒筋の発生する原稿読取位置が、黒筋チェックレポートとしてユーザに呈示されるようになっているから、ユーザとしては、現在の状況をより確実に把握することができるし、さらには、ユーザはその呈示された黒筋チェックレポートに基づいて、手動によって、使用禁止とされる原稿読取位置の設定が可能となっているから、より適切な処理がなされることも期待できるのである。加えて、以上のような対処方法は、極めて低コストで実現し得るという利点を得ることもできる。
【００３１】
なお、図５に示すように、全ての原稿読取位置で黒筋か発生した場合に対応した処理を付加することもできる。
【００３２】
この図において、前記の図４と異なるのは、ステップＳ１５における原稿読取位置の記憶が行われた後の処理である。すなわち、図５では、該入力が行われた後には、その入力によって、すべての原稿読取位置において黒筋が発生する状況となってしまっているかどうかが判断されるようになっている（ステップＳ１６）。例えば、上述のように原稿読取位置がＡ乃至Ｆの六箇所存在する場合、これら六箇所すべてにおいて黒筋が発生するという状況になってしまったかどうかが判断されるのである。そして、これが肯定される場合には、もはや黒筋が発生しない原稿読取位置Ａ乃至Ｆを選択する余地がないから、ユーザに適切な措置を実施してもらうよう促すメッセージ（例えば、「画像読取部のごみを取って下さい」、「掃除をして下さい」、あるいは「サービスマンを呼んで下さい」等々）が、操作部７において表示されるようになっている（ステップＳ１８）。このような処理を加えることで、用紙上における黒筋の発生を抑制するという目的はよりよく達成されることになる。
【００３３】
ちなみに、図５では、すべての画像読取位置において黒筋が発生する場合に、ステップＳ１８における処理が実施されるようになっているが、場合によっては、「すべて」ではなく、「大部分の」、あるいはより一般的には「所定の閾値を上回る」という条件が満たされておればそれでよい。例えば、原稿読取位置がＡ乃至Ｆの六箇所存在する場合に、そのうちの四箇所において黒筋が発生する、などという場合に、前記のステップＳ１８の処理が行われるようになっていてもよい。
【００３４】
さて一方、上述においては、黒筋軽減モードの設定がなされているかどうかに応じて、黒筋の発生する原稿読取位置の指定（入力）が行われていたが、本発明は、このような形態にも限定されない。すなわち、前記の場合においては、その原稿読取位置の使用が禁止される期間は、当該黒筋軽減モードが活きている間ということができるが、本発明は、このような考え方に限定されるわけではなく、前記のような一定の原稿読取位置の使用の禁止は、予め定められた一定期間に限り有効とされるとか、あるいは一定の印刷ジョブを実行している限り有効とされるなどといった態様を採用してもよい。
【００３５】
このような場合に関連して更に、黒筋軽減モードを抜ける際に、あるいは一定期間ごとに、印刷ジョブの実行直前に、あるいは印刷ジョブの実行終了段階で、改めて図４に示したような黒筋チェックレポートが出力されるような形態としてもよい。このように、所定の区切りで、黒筋チェックレポートが出力されるような形態としておけば、次のような効果が得られる。すなわち、図２に示したようなごみは、場合によっては時間の経過によって脱落する場合がある。そうすると、例えば、最初に黒筋チェックレポートの出力がなされた時点では、原稿読取位置Ｃに黒筋が発生することが確認されたという場合であっても、暫く後には、ごみが脱落して黒筋が発生しなくなるという場合がありえることになる。このような場合、当該原稿読取位置Ｃを使用禁止のままにしておく理由はない。そこで、上述のように黒筋チェックレポートを所定の区切りで出力させるようにしておくと、前記のような場合において、使用禁止を解除する、などという操作が可能となるのである。
【００３６】
更には、上述の実施形態に加えて、次のような処理が行われるようにしておいてもよい。例えば、前述の図４の処理は黒筋軽減モードに入るたびに実施され得ることになるが、この場合、そのモードが実施されるごとに行われたステップＳ１５において記憶するときに、どの原稿読取位置について行われたかの履歴をとっていくという構成を備えておくとよい。例えば、黒筋軽減モードがｎ回行われたという場合に、原稿読取位置Ａ乃至Ｆの禁止がそれぞれ、ａ回、ｂ回、ｃ回、ｄ回、ｅ回及びｆ回（ただし、ａ＋ｂ＋ｃ＋ｄ＋e＋ｆ≦ｎ）実施されたという記録をとっておくのである。そして、この履歴を参照して、例えばある原稿読取位置の禁止回数が所定回数を超えた場合、あるいはある原稿読取位置の禁止が所定回数以上連続した場合などには、当該画像形成装置の設定を黒筋軽減モードに固定する、などとしておく有効である。このようにしておけば、用紙上に黒筋を現させてしまうおそれを更に低減することができる。
【００３７】
また、上記実施形態では原稿Ｓの内容の読み取りは、Ａ→Ｂ→Ｄ→Ｅ→Ｆ→Ａ→Ｂ→Ｄ→…というように禁止された原稿読取位置を除いて順に巡回して行われるものとしたが、この順番については特に限定されない。更に巡回するのではなくランダムに順番を決めてもよい。
【００３８】
なお、上述においては、「黒筋」の発生のみが問題とされていたが、本発明は、その他のノイズの発生についてもまったく同様に適用することが可能であるのは言うまでもない。
【００３９】
本発明は、上述した実施形態に限られるものではなく、請求の範囲及び明細書全体から読み取れる発明の要旨、あるいは思想に反しない範囲で適宜変更可能であり、そのような変更を伴う画像形成装置もまた、本発明の技術的範囲に含まれるものである。
【図面の簡単な説明】
【００４０】
【図１】本実施形態に係る画像形成装置の概要図である。
【図２】図１に示す画像読取部の詳細を示す構成図である。
【図３】黒筋発生抑制のための処理の流れを示すフローチャートである。
【図４】黒筋チェックレポートの一例を示す説明図である。
【図５】図３とは異なる処理の流れを示すフローチャートである。
【図６】黒筋発生抑制のための処理の後、画像形成を行う処理の流れを示すフローチャートである。
【図７】プラテンと反射鏡との位置関係を示す図である。
【符号の説明】
【００４１】
１…制御部
２…プリンタ部
３…記憶装置
４…ＦＡＸ  Ｉ／Ｆ
５…ネットワーク  Ｉ／Ｆ
６…画像読取部
７…操作部
Ｐ…用紙
ＢＬ…黒筋
【図１】
2005150944.tif 000003
【図２】
2005150944.tif 000004
【図３】
2005150944.tif 000005
【図４】
2005150944.tif 000006
【図５】
2005150944.tif 000007
【図６】
2005150944.tif 000008
【図７】
2005150944.tif 000009